(57)【要約】      （修正有）【課題】ユーザ基点が関わる複数の広告地域に対応する複数の広告が適切にユーザ端末に表示されるようにする。【解決手段】広告地域の基点を緯度／経度で表した広告基点データとクリック単価データと広告データとを含んだ広告案件データが広告案件ＤＢ１２７に登録される。地図配信ＡＰサーバ１１１が、緯度／経度で表されるユーザ基点に基づく単位地域を指定した要求をユーザ端末１０１から受信し、その単位地域に関わる複数の広告地域のそれぞれの広告基点に対応する広告の表示の並びの順番を広告料金の高い順とした複数の広告データを、ユーザ端末１０１に配信する。ユーザ端末１０１は、広告料金の高い順に並べた複数の広告を表示する。【選択図】図１
2009086786.tif 000002
【特許請求の範囲】
【請求項１】
ユーザが使用するユーザ端末から、ユーザ基点に基づく位置情報を受信する位置情報受信手段と、
広告地域を表す広告地域データと広告の料金を表す広告料金データとがそれぞれ対応付けられた多数の広告データを記憶した広告記憶手段を参照して、複数の広告地域が重複する位置について、それら複数の広告地域に対応する広告の表示優先度を広告料金の高い順と決定する広告表示優先度決定手段と、
前記受信した位置情報に対応する位置について、前記広告表示優先度決定手段により決定された広告の表示優先度を表す広告表示優先度データを、前記ユーザ端末に配信する広告配信手段と
を備える広告システム。
【請求項２】
前記広告地域データは、広告主の所望の広さ及び／又は形状を有する広告地域を表す、
請求項１記載の広告システム。
【請求項３】
前記広告料金は、広告が前記ユーザから指定される都度に課金される指定単価である、
請求項１又は２記載の広告システム。
【請求項４】
前記広告地域データは、広告主の所望の広さを有する広告地域を表し、
前記広告表示優先度決定手段は、広告の前記指定単価の差が所定額以下である場合、前記広告地域が広い方の広告の表示優先度を高くする、
請求項３記載の広告システム。
【請求項５】
前記ユーザ端末から検索条件を受け付ける検索条件受付手段と、
前記ユーザ基点に対応する前記複数の広告データを前記検索条件に該当する一以上の広告データに絞り込む絞込み手段と、
前記絞り込みの結果に基づく検索結果データを前記ユーザ端末に配信する検索結果配信手段と
を更に備える請求項３又は４記載の広告システム。
【請求項６】
前記広告地域データ、前記広告データ及び前記広告料金データを広告主が使用する広告主端末から受け付け、受けた広告地域データと広告料金データとを対応付けた広告データを前記広告記憶手段に記憶させる広告受付手段を更に備え、
前記広告受付手段が、前記広告記憶手段を参照して、前記広告主から指定された広告地域が有する複数の位置についての他の広告主からの広告登録状況を特定し、特定された広告登録状況を表すデータを前記広告主端末に送信する、
請求項１乃至５のうちのいずれか１項に記載の広告システム。
【請求項７】
前記広告地域データ、前記広告データ及び前記広告料金データを広告主が使用する広告主端末から受け付け、受けた広告地域データと広告料金データとを対応付けた広告データを前記広告記憶手段に記憶させる広告受付手段を更に備え、
前記広告受付手段が、前記広告主からの指定地域を表す地図画像データを地図記憶手段から読出し、前記指定地域が有する各位置に対応した複数の広告料金を基に前記各位置の表示態様を決定し、各位置の決定された表示態様を表すデータと、前記指定地域を表す地図画像データとを、前記広告主端末に送信する、
請求項１乃至６のうちのいずれか１項に記載の広告システム。
【請求項８】
前記広告データには、ユーザプロファイル及び／又は広告時間帯を表すデータが更に対応付けられており、
前記広告配信手段が、前記位置情報に対応する位置についての複数の広告を、前記ユーザのユーザプロファイルに適合するユーザプロファイルを表すデータに対応した広告、及び／又は、現在時刻に適合する広告時間帯を表すデータに対応した広告に絞込み、絞り込まれた広告の表示優先度を表す広告表示優先度データを、前記ユーザ端末に配信する、
請求項１乃至７のうちのいずれか１項に記載の広告システム。
【請求項９】
前記広告表示優先度決定手段は、広告の表示優先度が未決定の広告に対応した広告地域が有する位置毎に複数の広告の表示優先度を決定し、各位置に対応した広告の表示優先度を広告表示優先度記憶手段に記憶させ、
前記広告配信手段は、前記位置情報に対応した位置について、前記広告表示優先度記憶手段に記録されている表示優先度を表す広告表示優先度データを、前記ユーザ端末に配信する、
請求項１乃至８のうちのいずれか１項に記載の広告システム。
【請求項１０】
ユーザが使用するユーザ端末から、ユーザ基点に基づく位置情報を受信するステップと、
広告地域を表す広告地域データと広告の料金を表す広告料金データとがそれぞれ対応付けられた多数の広告データを記憶した広告記憶手段を基に、複数の広告地域が重複する位置について、それら複数の広告地域に対応する広告の表示優先度を広告料金の高い順とした、広告の表示優先度を表す広告表示優先度データを、前記ユーザ端末に配信するステップと、
前記ユーザ基点を含んだ地域であるユーザ地域を表す地図画像データを前記ユーザ端末が取得するステップと、
前記取得された地図画像データが表す地図画像と共に、前記広告表示優先度データが表す表示優先度で複数の広告を前記ユーザ端末に表示するステップと
を有する広告方法。
【発明の詳細な説明】
【技術分野】
【０００１】
本発明は、広告データの配信に関する。
【背景技術】
【０００２】
広告配信に関する技術として、例えば、特許文献１に開示の技術が知られている。特許文献１によれば、広告配信サーバが、緯度／経度を表す位置データが対応付けられた広告データを記憶している。その広告配信サーバは、緯度／経度を表す端末位置データを携帯通信端末から受信し、その緯度／経度から所定範囲に含まれている緯度／経度を表す位置データに対応した広告データを読み出して、特定した広告データをその携帯通信端末に配信する。上記所定範囲は、広告配信サーバの設定次第である（段落４０）。
【０００３】
【特許文献１】特開２００６−２７９１８２号公報
【発明の開示】
【発明が解決しようとする課題】
【０００４】
ユーザ基点（例えばユーザ端末の現在位置）によっては、複数の広告地域（例えば、特許文献１で言う“所定範囲”の広さ）が関わり、故に、表示されるべき広告が複数個存在することも考えられる。しかし、特許文献１では、そのことは何ら考慮されていない。
【０００５】
従って、本発明の目的は、ユーザ基点に関わる複数の広告地域に対応する複数の広告が適切にユーザ端末に表示されるようにすることにある。
【０００６】
本発明の他の目的は、後の説明から明らかになるであろう。
【課題を解決するための手段】
【０００７】
広告地域を表す広告地域データと、広告の料金を表す広告料金データとがそれぞれ対応付けられた多数の広告データが広告記憶手段に記憶される。システムが、ユーザ基点に基づく位置情報をユーザ端末から受信し、その位置情報に対応する位置について、複数の広告地域に対応する複数の広告の表示優先度を広告料金の高い順とした、広告の表示優先度を表す広告表示優先度データを、ユーザ端末に配信する。ユーザ端末は、受信した広告表示優先度データを基に、広告料金の高い順となった表示優先度で複数の広告を表示する。
【発明を実施するための最良の形態】
【０００８】
実施形態１では、広告システム（例えばサーバシステム）が、位置情報受信手段と、広告表示優先度決定手段と、広告配信手段とを備える。位置情報受信手段は、ユーザが使用するユーザ端末から、ユーザ基点に基づく位置情報を受信する。広告表示優先度決定手段は、広告地域を表す広告地域データと広告の料金を表す広告料金データとが対応付けられた広告データを記憶した広告記憶手段を参照して、複数の広告地域が重複する位置（例えば単位地域）について、それら複数の広告地域に対応する複数の広告の表示優先度を広告料金の高い順と決定する。広告配信手段は、受信した位置情報に対応する位置（例えば単位地域）について、広告表示優先度決定手段により決定された広告の表示優先度を表す広告表示優先度データを、ユーザ端末に配信する。ユーザ端末が備えるディスプレイ画面には、そのユーザ端末が受信した広告表示優先度データを基に、ユーザ基点に対応する複数の広告が広告料金の高い順となった表示優先度で表示される。
【０００９】
ここで、「ユーザ基点」とは、例えば、ＧＰＳ（Global Positioning System）機能を有したユーザ端末（例えば、携帯電話機或いはカーナビゲーション装置）から受信した、ユーザ端末の現在位置であっても良いし、ユーザ端末に表示されている地図画像における、地図画像表示領域の特定位置（例えば、中心位置）であっても良い。ユーザ基点は、例えば、緯度／経度で表される。緯度／経度に加えて、高さも、ユーザ基点を定義する要素とされても良い。
【００１０】
また、「ユーザ基点に基づく位置情報」とは、例えば、ユーザ基点を表す緯度／経度の情報であっても良いし、ユーザ基点を含んだ単位地域に対応する断片地図画像のデータのＩＤであっても良いし、ユーザ基点が移動したことによりユーザ端末側で必要となった断片地図画像のデータのＩＤであっても良い。「単位地域」とは、所定の広さ及び形状を有した地域である。また、「単位地域」の形状及び／又は広さは、どのような形状及び／又は広さであっても良い（例えば、単位地域は矩形である）。また、単位地域の形状及び／又は広さは、場所によっては他の単位地域の形状及び／又は広さと異なっていても良い。
【００１１】
また、「広告地域データ」は、広告地域の基点である広告基点によって定義されても良い。この場合、広告地域は、例えば、その広告基点に基づく形状及び／又は広さとされる。その形状及び／又は広さは、予め広告主による変更不能に定められていても良いし、後述のように、広告主所望の形状及び／又は広さであっても良い。「広告基点」は、例えば、「ユーザ基点」と同様に、緯度／経度で表すことができる。広告地域の形状としては、矩形或いは円形など種々の形状を採用することができる。
【００１２】
また、「複数の広告地域が重複する位置」とは、複数の広告地点に含まれる一つの位置を表す。その位置は、点であっても良いし、面積を有していても良い。後者の場合、例えば、単位地域とすることができる。この場合、「複数の広告地域が重複する位置」が、「複数の広告地域が重複する単位地域」に読み替えられる。「複数の広告地域が重複する単位地域」とは、広告領域に全部又は一部が含まれた単位地域である。ここで言う単位地域の一部とは、少なくとも一部という意味であっても良いし、所定割合以上（例えば５０％以上１００％）という意味であっても良い。
【００１３】
また、「広告の表示優先度」とは、広告の表示に関する優先度であればどのようなものでもよい。例えば、ユーザ端末で表示される広告の表示の並びの順番、表示回数、表示される確率（例えば、表示の並びの順番がより先の順番とされる確率）等を採用することができる。「広告表示優先度データ」は、例えば、決定された表示優先度で並べられた複数の広告のデータであっても良いし、各広告とその表示優先度とを含んだデータであっても良い。
【００１４】
この実施形態１によれば、ユーザ基点に基づく位置情報に対応した位置を含んだ広告地域に高い広告料金がつけられている広告ほど、ユーザ端末において、ユーザに認識され易いように表示される。例えば、ユーザ端末のディスプレイ画面における広告表示領域の先頭側、言い換えれば、ユーザに選ばれ易い位置に表示される。ユーザ端末のディスプレイ画面のサイズ、或いは、そのディスプレイ画面上における広告表示領域のサイズによっては、全ての広告を見るためには、ユーザが、スクロール或いは表示切替等を行う必要が有り得る。
【００１５】
実施形態２では、実施形態１において、広告地域データは、広告主の所望の広さ及び／又は形状を有する広告地域を表す。例えば、店舗の商圏は、一般に、店舗の規模などによって様々である。それにも関わらず、例えば前述した特許文献１のように、広告の地理的範囲が広告配信サーバの設定によって一律であると、広告主にとって期待される広告効果が得られないおそれがある。この実施形態２によれば、広告地域は、広告主の所望の広告地域となっているため、商圏等を考慮した効果的な広告を行うことができる。
【００１６】
実施形態３では、実施形態１又は２において、広告料金は、広告がユーザから指定される都度に課金される指定単価である。
【００１７】
実施形態４では、実施形態３において、広告地域データは、広告主の所望の広さを有する広告地域を表す。広告表示優先度決定手段は、指定単価の差が所定額以下である場合（所定額はゼロであっても良い）、広告地域が広い方の広告の表示優先度を高くする（例えば、表示の並び順を先の順番とする確率を高くする）。広告地域がより広ければ、広告データが表示される確率が高まるため、ユーザから指定される可能性が高い。つまり、課金される金額も高くなる可能性が高い。実施形態４によれば、指定単価の差が所定額以下である場合にはそのような広告が優先される。
【００１８】
実施形態５では、実施形態３又は４において、広告システムが、ユーザ端末から検索条件を受け付ける検索条件受付手段と、ユーザ基点に対応する複数の広告データを検索条件に該当する一以上の広告データに絞り込む絞込み手段と、絞り込みの結果に基づく検索結果データをユーザ端末に配信する検索結果配信手段とを更に備える。検索結果データは、絞り込まれた広告データであっても良いし、配信済みの広告データのうち表示すべき（或いは表示すべきでない）広告データを指定したデータであっても良い。後者の場合には、ユーザ端末が、その検索結果データを基に、受信済みの複数の広告データから広告データを選択して表示する。実施形態５によれば、ユーザ所望の検索条件に基づいて表示される広告が絞り込まれるため、より効果的な広告が期待でき、また、無駄にユーザから指定されることによる無駄な課金も防ぐことが期待できる。
【００１９】
実施形態６では、実施形態１乃至５のうちのいずれかにおいて、広告システムが、広告受付手段を更に備える。広告受付手段は、広告地域データ、広告データ及び広告料金データを、広告主が使用する広告主端末から受け付け、受けた広告地域データと広告料金データとを対応付けた広告データを広告記憶手段に記憶させる。広告受付手段は、広告記憶手段を参照して、広告主から指定された広告地域が有する複数の位置（例えば単位地域）についての他の広告主からの広告登録状況を特定し、特定された広告登録状況を表すデータを広告主端末に送信する。実施形態６によれば、広告主は、自分が所望する広告地域（例えば広告基点）についての他の広告主による広告登録状況を知ることができるので、どこを基点としてどんな広告料金を設定するのが効果的であるかを判断し易くなる。
【００２０】
実施形態７では、実施形態１乃至６のうちのいずれかにおいて、広告受付手段が、広告主からの指定地域を表す地図画像データを地図記憶手段から読出し、その指定地域が有する各位置（例えば単位地域）に対応する複数の広告料金を基に各位置の表示態様を決定し、各位置の決定された表示態様を表すデータと上記指定地域を表す地図画像データとを広告主端末に送信する。実施形態７によれば、広告主は、地図画像における表示態様のばらつきから、どの地域についてどのぐらいの広告料金が設定されているのかを一目で把握することができ、以って、どこを広告地域（例えば広告基点）としてどんな広告料金を設定するのが効果的であるかを判断し易くなる。
【００２１】
実施形態８では、実施形態１乃至７のうちのいずれかにおいて、広告データには、ユーザプロファイル及び／又は広告時間帯を表すデータが更に対応付けられている。広告配信手段が、上記位置情報に対応する位置についての複数の広告を、ユーザのユーザプロファイルに適合するユーザプロファイルを表すデータに対応した広告、及び／又は、現在時刻に適合する広告時間帯（例えば、現在時刻を含んだ広告時間帯）を表すデータに対応した広告に絞込み、絞り込んだ広告をユーザ端末に配信する。実施形態８によれば、上記位置情報に対応する位置についての複数の広告のうち、ユーザプロファイル及び／又は広告時間帯（例えば、店舗の営業日及び／又は営業時間帯）に適合する広告のみ配信されて表示されるため、効率的な広告が期待できる。また、この実施形態８が、実施形態３乃至５のいずれかにおける実施形態であれば、広告効果が低いに関わらずユーザ端末に表示されてユーザから指定されることによる課金の発生を防ぐこともできる。
【００２２】
実施形態９では、実施形態１乃至８のうちのいずれかにおいて、広告表示優先度決定手段は、広告の表示優先度が未決定の広告に対応した広告地域が有する位置（例えば単位地域）毎に複数の広告の表示優先度を決定し、各位置に対応した広告の表示優先度を広告表示優先度記憶手段に記憶させる。広告配信手段は、上記位置情報に対応した位置について、広告順序記憶手段に記録されている表示優先度を表す広告表示優先度データを、ユーザ端末に配信する。実施形態９によれば、広告データの配信に先立って、位置毎に（例えば単位地域毎に）、対応する広告データの表示優先度が決定されているため、迅速に広告表示優先度データを配信することが期待できる。
【００２３】
実施形態１乃至９のうちのいずれかにおいて、ユーザ端末は、ユーザ基点に基づく位置情報に対応した位置についての複数の広告に加えて、ユーザ基点を含んだユーザ地域を表す地図画像を表示することができる。その地図画像を表す地図画像データは、例えば、ユーザ端末が備える地図記憶手段（例えば、カーナビゲーション装置が備える電子的な地図ソース）から読み出されたデータであっても良いし、サーバシステムからユーザ端末に配信されたデータであっても良い。
【００２４】
前述した実施形態１乃至９のうちの二以上の実施形態を組合せることも可能である。また、前述した各手段は、ハードウェア（例えば回路）、コンピュータプログラム、或いはそれらの組み合わせ（例えば、一部をコンピュータプログラムで実行し残りをハードウェアで実行する）によって実現することもできる。各コンピュータプログラムは、コンピュータマシンに備えられる記憶資源（例えばメモリ）から読み込むことができる。その記憶資源には、ＣＤ−ＲＯＭやＤＶＤ（Digital Versatile Disk）等の記録媒体を介してインストールすることもできるし、インターネットやＬＡＮ等の通信ネットワークを介してダウンロードすることもできる。
【００２５】
以下、図面を参照して、本発明の一実施形態を詳細に説明する。
【００２６】
図１は、本発明の一実施形態に係るシステム全体の構成例を示す。
【００２７】
広告サーバシステム１０５が、ユーザ端末１０１と広告主端末１０３と通信する。
【００２８】
ユーザ端末１０１は、ユーザが使用する情報処理装置であり、図示しないＣＰＵ（Central Processing Unit）や記憶資源（例えばメモリ）を備えている。ユーザ端末１０１は、据置型の装置（例えばデスクトップ型のパーソナルコンピュータ）であっても良いし、モバイル型の装置（例えば、ノート型のパーソナルコンピュータ、携帯電話機、或いはＰＤＡ（Personal Digital Assistants））であっても良い。本実施形態では、ユーザ端末１０１は、ＧＰＳ機能を有した携帯電話機であるとする。ユーザ端末１０１の記憶資源には、地図表示アプリケーションプログラム（以下、地図表示ＡＰ）１０１１が記憶されており、ＣＰＵで、その地図表示ＡＰ１０１１が実行される。
【００２９】
広告主端末１０３は、広告主が使用する情報処理装置であり、図示しないＣＰＵや記憶資源（例えばメモリ）を備えている。広告主端末１０３は、据置型の装置であっても良いし、モバイル型の装置であっても良い。本実施形態では、広告主端末１０３はパーソナルコンピュータであるとする。
【００３０】
広告サーバシステム１０５は、例えば、ＣＰＵを備えた制御装置と、制御装置に接続された記憶装置（例えば、複数のメディアドライブを備えた記憶システム）とで構成される。制御装置では、地図配信アプリケーションサーバ（以下、地図配信ＡＰサーバ）１１１、広告登録アプリケーションサーバ（以下、広告登録ＡＰサーバ）１１３、コンテンツサーバ１１４及びデータベースサーバ（以下、データベースを「ＤＢ」と略記する）１１５が実行される。記憶装置には、コンテンツＤＢ１２１、簡易地図ＤＢ１２３、掲載順序ＤＢ１２５、広告案件ＤＢ１２７及びオリジナル地図ＤＢ１２９が記憶される。
【００３１】
コンテンツＤＢ１２１は、種々のコンテンツデータを有する。コンテンツデータの一つとして、図２Ａに示すように、職業別電話帳データ１２１１がある。このデータ１２１１は、後述するスポット検索の際に参照される。
【００３２】
簡易地図ＤＢ１２３は、携帯電話機などディスプレイ画面が小さい情報処理装置のための簡易的な地図画像のデータ（以下、簡易地図画像データ）を有する。具体的には、例えば、図２Ｂに示すように、簡易地図ＤＢ１２３には、縮尺別の簡易地図画像データ１２３１Ａ、１２３１Ｂ、…が含まれている。各簡易地図画像データ１２３は、矩形の単位地域を表す多数の断片地図画像のデータ（以下、地図メッシュ）１２３３で構成されている。
【００３３】
掲載順序ＤＢ１２５は、ユーザ端末１０１で表示される広告の掲載順序（広告の並びの順序）を表すデータを有する。具体的には、例えば、図３Ａに示すように、掲載順序ＤＢ１２５には、地図メッシュ毎に、メッシュ番号及び広告掲載順序を表すデータが含まれる。メッシュ番号は、どの簡易地図画像データのどこの地図メッシュであるかを表す（例えば“＃０−０”は、最小縮尺に対応した簡易地図画像データの一番左上の地図メッシュを表す）。広告掲載順序は、種々の方法で定義することができる。例えば、図３Ａに示すように、広告のタイトルの並び順で定義されても良いし、それに代えて、後述する広告案件ＩＤと掲載順番との組合せで定義されても良い。広告の並びの順番は、後述するクリック単価の高い順である。本実施形態では、広告掲載順序は、広告タイトルの並びの順序で定義される。広告タイトルには、例えば、それに対応する広告基点が埋め込まれていても良い。これにより、例えば、後述するように、広告掲載順序を表す広告順序データがユーザ端末１０１に送信された場合、図１１Ａ乃至図１２Ｂに例示するように、ユーザ端末１０１において、広告基点に対応した、地図画像上の位置に、広告オブジェクト（広告に対応したマーク）が表示される。
【００３４】
広告案件ＤＢ１２７は、広告主から入力された広告に関するデータ（以下、広告案件データ）を有する。具体的には、例えば、図３Ｂに示すように、広告毎の広告案件データ１２７１が含まれる。広告案件データ１２７１に含まれる広告案件要素としては、例えば、広告主ＩＤ、広告案件ＩＤ、広告タイトル（ユーザ端末１０１に表示される広告のタイトル）、広告地域の基点である広告基点（例えば、住所及びそれに対応した緯度／経度で表される基点）、広告詳細（例えば、ユーザ端末１０１に表示された広告タイトルがユーザから指定された場合に表示されるテキスト）、本体ＵＲＬ（例えば、広告のより詳細な情報が記載されたＷＥＢページのＵＲＬ）、広告地域（例えば、広告基点に基づく形状及び面積）、広告対象（例えば、スポット検索による絞込みを行うか否か、行う場合には、どのようなジャンル及び／又はワードが入力された場合に広告されるようにするか）、クリック単価（ユーザ端末１０１に表示された広告タイトル又は広告マークがユーザから指定（クリック）されて広告詳細表示又はルート案内が行われる都度に課金される金額）、クリック回数（所定の期間にクリックされた数の合計）、広告期間（広告データが配信され得る期間）、ユーザプロファイル（例えば、性別、年齢など）、及び、広告時間帯（広告期間における時間帯）がある。広告時間帯としては、例えば、店舗の営業日及び／又は営業時間帯を採用することができる。
【００３５】
再び図１を参照する。オリジナル地図ＤＢ１２９は、オリジナルの地図画像のデータ（簡易地図ＤＢ１２３に含まれている簡易地図画像データよりも詳細な地図画像を表すデータ）を有する。オリジナルの地図画像データも、例えば、簡易地図画像データと同様に、縮尺毎に用意されており、多数の断片地図画像のデータで構成されていて良い。なお、地図画像データは、オリジナル地図画像データと簡易地図画像データのように複数種類ある必要はなく、少なくも一種類（例えば、簡易的な地図画像データ、又は、オリジナルの地図画像データ）あれば良い。
【００３６】
コンテンツサーバ１１４は、地図配信ＡＰサーバ１１１からの要求に応答して、コンテンツＤＢ１２１を更新したり、コンテンツＤＢ１２１又は簡易地図ＤＢ１２３を参照して参照したデータを地図配信ＡＰサーバ１１１に送信したりする。
【００３７】
ＤＢサーバ１１５は、広告登録ＡＰサーバ１１３からの要求に応答して、掲載順序ＤＢ１２５又は広告案件ＤＢ１２７を更新したり、掲載順序ＤＢ１２５、広告案件ＤＢ１２７又はオリジナル地図ＤＢ１２９を参照して参照したデータを広告登録ＡＰサーバ１１３に送信したりする。また、ＤＢサーバ１１５は、地図配信ＡＰサーバ１１１からの要求に応答して、広告案件ＤＢ１２７を更新又は参照したり、掲載順序ＤＢ１２５を参照して参照したデータを広告登録ＡＰサーバ１１３に送信したりする。
【００３８】
広告登録ＡＰサーバ１１３は、広告主端末１０３からの要求に応答して、広告を登録するための画面（以下、広告登録画面）を表す情報を広告主端末１０３に送信し、広告主から広告登録画面に入力された広告案件要素を含んだ広告案件データ１２７１を、ＤＢサーバ１１５を通じて広告案件ＤＢ１２７に登録する。広告登録ＡＰサーバ１１３は、例えば、図４Ａに示すように、広告主端末１０３に対する表示を制御する機能（表示制御部）１１３１や、広告主から指定された広告地域についての他の広告主（他社）によるこれまでの広告登録状況をＤＢサーバ１１５を通じて広告案件ＤＢ１２７から取得する機能（他社登録状況取得部）１１３２や、広告主がこれまでに登録した広告登録状況をＤＢサーバ１１５を通じて広告案件ＤＢ１２７から取得する機能（自社登録状況取得部）１１３３を有する。
【００３９】
地図配信ＡＰサーバ１１１は、緯度／経度で表されるユーザ基点に基づく地図メッシュ要求をユーザ端末１０１から受信し、その地図メッシュ要求に応答して、コンテンツサーバ１１４を通じて簡易地図ＤＢ１２３から地図メッシュを取得し、且つ、ＤＢサーバ１１５を通じて掲載順序ＤＢ１２５から広告掲載順序を取得する。そして、地図配信ＡＰサーバ１１１は、取得した地図メッシュと共に、広告掲載順序を表すデータ（例えば、広告掲載順序が表す順序通りに並んだ複数の広告タイトル、或いは、各広告タイトルとその順番を表すデータ）をユーザ端末１０１に配信する。また、地図配信サーバ１１１は、ユーザ端末１１１において広告が指定（クリック）された場合には、ＤＢサーバ１１５を通じて、その広告に対応した広告案件データ１２７１におけるクリック回数を更新する（例えば１インクリメントする）。従って、地図配信ＡＰサーバ１１１は、例えば、図４Ｂに示すように、地図メッシュを取得する機能（地図メッシュ取得部）１１１１や、広告掲載順序を取得して地図メッシュと共に広告順序データを配信する機能（配信制御部）１１１２や、クリック回数を更新する機能（クリック回数更新部）１１１３を備える。
【００４０】
以下、広告の登録と、広告の配信とに分けて、本実施形態で行われる処理を説明する。
【００４１】
＜広告の登録＞。
【００４２】
広告登録サーバ１１３が、広告主端末１０３からの要求に応答して、表示制御部１１３１により、図５に例示する広告登録画面１５１を表す情報を送信する。それにより、広告主端末１０３の図示しないディスプレイ画面には、広告登録画面１５１が表示される。
【００４３】
広告登録画面１５１には、広告登録表示領域１５１１、地図表示領域１５１２、他社登録状況表示領域１５１３及び自社登録状況表示領域１５１４の４種類の表示領域が設けられている。広告主は、広告登録表示領域１５１１に表示される各種入力ツールと、地図表示領域１５１２に表示されるオリジナル地図画像とを利用して、広告を登録する。その際、どの地域を広告地域としクリック単価として幾ら設定するかを、他社登録状況表示領域１５１３に表示される情報を基に判断することができる。また、適宜、自社登録状況表示領域１５１４に表示される情報を閲覧し、これまでにどのような広告を登録してきたかを知ることができる。
【００４４】
広告登録表示領域１５１１には、広告案件データ１２７１に含まれる各広告案件要素を入力するためのツール（例えば、ラジオボタン、プルダウンメニュー、テキストボックスなど）が表示される。広告主は、広告主端末１０３が備える入力装置（図示せず）を使用して、様々な広告案件要素を入力することができる。
【００４５】
例えば、広告基点は、例えば、オリジナル地図ＤＢ１２９から読み出されて表示されたオリジナル地図画像上をポインティングデバイス（例えばマウス）でクリックする、或いは、店舗の住所を入力する等の方法で入力することができる。広告登録ＡＰサーバ１１３は、広告基点が指定された場合、指定された広告基点を表すオブジェクト（例えば、黒で塗りつぶされた小さな円）１４０を、地図表示領域１５１２におけるオリジナル地図画像上に表示する。広告登録ＡＰサーバ１１３は、指定された広告基点に対応した住所（例えば、オリジナル地図画像上で指定された地点に対応する住所、或いは、マニュアルで入力された住所）に対応する緯度／経度を計算し、広告基点に対応した住所及び緯度／経度を広告案件データ１２７１に含めることができる。
【００４６】
また、例えば、『同心円』（広告基点を中心とする円）に対応したラジオボタンと『矩形領域』に対応したラジオボタンのどちらかを指定し、広告地域の面積の要素（例えば、円の半径、矩形領域の縦及び横の長さ）を、プルダウンメニューを利用して入力することで、広告地域の形状及び面積を定義することができる。広告登録ＡＰサーバ１１３は、広告地域が指定された場合、その広告地域を表すオブジェクト（例えば、半透明の大きな円）１５０を、地図表示領域１５１２におけるオリジナル地図画像上に表示することができる。なお、広告地域の形状及び／又は面積は、ポインティングデバイスを使用してオリジナル地図画像上で範囲指定することにより定義されても良い。表示される地図の縮尺は、例えば、地図表示領域１５１２の左下に展開されたスライダーを操作することにより変更することができる。
【００４７】
また、例えば、表示される或いは配信される広告が絞り込まれるようにしたいのであれば、広告主は、スポット検索におけるジャンル及び／又はワードを入力する、ユーザプロファイル（例えば、性別、年齢）を入力する、及び、広告時間帯を入力する、のうちの少なくとも一つを行う。
【００４８】
広告登録ＡＰサーバ１１３は、自社登録状況取得部１１３３により、これまでに同一の広告主（自社）によって登録された広告に関する登録状況（例えば、各広告の広告基点、クリック単価、購入面積などの一覧）を、自社に対応した一又は複数の広告案件データ１２７１を基に、自社登録状況表示領域１５１４に表示することができる。なお、自社の広告案件データがどれであるかは、例えば、或るタイミングで（例えばログインの際に）入力された広告主ＩＤを用いて特定することができる。
【００４９】
広告登録ＡＰサーバ１１３は、他社登録状況取得部１１３２により、他の広告主によって登録された広告に関する登録状況を、他社登録状況表示領域１５１３に表示することができる。表示される他社登録状況に対応する広告の広告地域は、広告主による条件設定によって調整可能である。例えば、他社登録状況に対応する広告の広告地域は、広告主によって指定された広告地域の少なくとも一部が全部又は一部である広告地域でも良いし、指定された広告地域には全く重複しないが指定された広告基点を含んだ所定の範囲に関わる広告地域であっても良い。具体的には、例えば、他社登録状況取得部１１３２が、指定された広告地域に関わる地図メッシュ（単位地域）と同じ地図メッシュが関わる広告地域を表す広告案件データ１２７１を広告案件ＤＢ１２７から特定し、特定された広告案件データ１２７１における所定種類の広告案件要素を、図５に例示するように、一覧で表示する。例えば、会社名、クリック単価及び購入面積（広告地域の面積）が一覧で表示される（会社名は非表示にすることもできる）。また、特定された複数の広告案件データ１２７１を基に、最高価格（複数の広告案件データにおいて最高のクリック単価）と平均価格（複数の広告案件データにおける複数のクリック単価の平均）も表示される。また、他社登録状況取得部１１３２は、指定された広告地域と他の広告主が指定した広告地域との重複率を計算し、計算結果を上記一覧で表示することができる。
【００５０】
他社登録状況表示領域１５１３にサーモ表示ボタン１５１３１が表示される。このボタン１５１３１が押された場合、広告登録ＡＰサーバ１１３は、図６に示すように、各単位地域（地図メッシュ）とそれに対応するクリック単価に基づいて、サーモグラフィのように、オリジナル地図画像における各部分が異なる表示態様（例えば、色、テクスチャ、パターンなど）で表示される。或る表示態様で表示された地図画像領域に対応する地域と、それとは異なる表示態様で表示された地図画像領域に対応する地域とでは、クリック単価（例えば最高価格或いは平均価格）が異なる。これを、「バーチャルな地価が異なる」と喩えることができる。従って、以下、便宜上、この表示を「バーチャル地価サーモ表示」と呼ぶ。図６に示すバーチャル地価サーモ表示は、クリック単価の最高価格に基づく表示であるが、この表示によれば（例えば、右下に表示されたグラデーションによれば）、地図画像領域１００Ｃに対応する地域が、バーチャルな地価（最高価格）が最も高く、他の地図画像領域１００Ａ及び１００Ｂに対応する地域は、バーチャルな地価が同額であり、それ以外の領域に対応する地域は、未だ広告地域として指定されていないことがわかる。このバーチャル地価サーモ表示は、表示される地図画像に対応する地域に関わる広告地域に対応した一又は複数の広告案件データを検索し、検索された一又は複数の広告案件データにおける広告地域やクリック単価に基づいて行うことができる。バーチャル地価サーモ表示は、地図表示領域１５１２上で行われても良いし、別の画面を前面表示させその画面上で行われても良い。
【００５１】
以上の広告登録画面１５１を用いて広告案件要素が入力された広告主から登録の実行が指定された場合に、広告登録ＡＰサーバ１１３は、入力された広告案件要素と、自動で割り当てた広告案件ＩＤ等を含んだ広告案件データを、広告案件ＤＢ１２７に追加する。
【００５２】
広告登録ＡＰサーバ１１３は、定期的に又は任意にタイミング（例えば、広告案件データの追加時）に、広告掲載順番が未決定の広告の掲載順番を決定して掲載順序ＤＢ１２５を更新することができる。
【００５３】
図７は、掲載順序ＤＢ１２５の更新の流れを示す。
【００５４】
広告登録ＡＰサーバ１１３は、広告掲載順番が未決定の広告の広告案件データ（例えば新規に追加された広告案件データ、以下、ターゲットの広告案件データ）から特定される広告地域が関わる地図メッシュを特定する（Ｓ１０１）。「広告地域が関わる地図メッシュ」とは、広告地域に全部又は一部が含まれる地図メッシュである。ここでの地図メッシュの一部としては、地図メッシュのＮパーセント以上（Ｎは０より大きく１００未満の数、例えば５０）とすることができる。
【００５５】
広告登録ＡＰサーバ１１３は、Ｓ１０１で特定された各地図メッシュ（以下、図７の説明において「対象地図メッシュ」と言う）、について、以下のＳ１０２乃至Ｓ１０４を行う。
【００５６】
すなわち、広告登録ＡＰサーバ１１３は、対象地図メッシュの全部又は一部を含んだ他の広告領域に対応する広告案件データを広告案件ＤＢ１２７から検索する（Ｓ１０２）。
【００５７】
次に、広告登録ＡＰサーバ１１３は、ターゲットの広告案件データに含まれるクリック単価と、検索された一又は複数の広告案件データ１２７１に対応する一又は複数のクリック単価とを基に、それらの広告案件データに対応する複数の広告のそれぞれの順番（広告掲載順序）をクリック単価の高い順と決定する（Ｓ１０３）。もし、クリック単価が同じ又は差が僅少であれば（例えば１０円未満であれば）、広告地域が広い方が高い確率（１００％でも良い）で先の順番とされる。
【００５８】
広告登録ＡＰサーバ１１３は、掲載順序ＤＢ１２５における対象地図メッシュのメッシュ番号に対応する広告掲載順序を、Ｓ１０３で決定した広告掲載順序に更新する（Ｓ１０４）。このＳ１０４の処理は、全ての対象地図メッシュについて広告掲載順序が決定された場合にまとめて行われても良い。
【００５９】
以上が、掲載順序ＤＢ１２５の更新処理の流れである。
【００６０】
地図メッシュによっては、関わる広告地域及びそれに対応するクリック単価が異なるため、対応する広告掲載順序が異なる。例えば、図８に例示するように、地図メッシュ＃０−１００に関わる広告領域Ａ、Ｂ、Ｃに対応するクリック単価は５０円、８０円、３０円であるため、対応する広告掲載順序は、“広告Ｂ→広告Ａ→広告Ｃ”となる。そして、それに隣接する地図メッシュ＃０−１０１に関わる広告領域Ｂ、Ｃ、Ｄに対応するクリック単価は８０円、３０円、２０円であるため、対応する広告掲載順序は、“広告Ｂ→広告Ｃ→広告Ｄ”となる。そのため、ユーザ基点が地図メッシュ＃０−１００（又はそれに対応する地域）に重なっていれば、ユーザ端末１０１における広告表示領域に、広告Ｂ、広告Ａ及び広告Ｃの順で並んだ表示がされ、ユーザ基点が地図メッシュ＃０−１０１（又はそれに対応する地域）に移動したならば、広告表示領域における表示が、広告Ｂ、広告Ｃ及び広告Ｄの順で並んだ表示に変わることなる。
【００６１】
＜広告の配信＞。
【００６２】
図９は、地図メッシュ要求の送信及び地図／広告表示を行うユーザ端末１０１の処理の流れの一例を示す。図１０は、地図メッシュ要求に応答して地図メッシュ及び広告順序データを配信する地図配信ＡＰサーバ１１１の処理の流れの一例を示す。これらの図を参照して、ユーザ端末１０１と地図配信ＡＰサーバ１１１との間で行われる処理の流れを説明する。
【００６３】
ユーザ端末１０１において地図表示ＡＰ１０１１が起動した場合、地図表示ＡＰ１０１１が、ＧＰＳ機能により取得されたユーザ端末１０１の現在位置（ユーザ基点）を表す緯度／経度情報を指定した地図メッシュ取得要求を、地図配信ＡＰサーバ１１１に送信する（Ｓ１３１）。
【００６４】
地図配信ＡＰサーバ１１１は、地図メッシュ要求を受信し（Ｓ１１１でＹＥＳ）、その地図メッシュ要求で指定されている緯度／経度情報が表すユーザ基点を含んだ地図メッシュとその周辺の地図メッシュ群（例えば、ユーザ端末１０１のディスプレイ画面に表示される範囲よりも若干広い範囲に属する地図メッシュも含む）とを含んだ地図メッシュ群を簡易地図ＤＢ１２３から取得する（Ｓ１１２）。また、地図配信ＡＰサーバ１１１は、取得した地図メッシュ群を構成する各地図メッシュに対応する各広告掲載順序を掲載順序ＤＢ１２５から取得する（Ｓ１１３）。更に、地図配信ＡＰサーバ１１１は、広告案件ＤＢ１２７を参照し、取得された各広告掲載順序に、所定の条件に不適合の広告（例えば、ユーザプロファイル情報（例えば、ユーザ端末１１１から受信した情報、或いは、予め所定の記憶資源にユーザ毎に記憶されている情報）に適合しない広告、現在時刻が広告期間外及び広告時間帯外である広告）があればそのような広告を除くことで各広告掲載順序を更新する（Ｓ１１４）。そして、地図配信ＡＰサーバ１１１は、各地図メッシュと各地図メッシュに対応した各広告順序データ（更新後の広告掲載順序を表すデータ）とを送信する（Ｓ１１５）。
【００６５】
ユーザ端末１０１における地図表示ＡＰ１０１１は、受信した地図メッシュと広告順序データとの各セットを、ユーザ端末１０１におけるメモリに記憶させる（Ｓ１３２）。
【００６６】
そして、地図表示ＡＰ１０１１は、図１１Ａに示すように、ユーザ端末１０１のディスプレイ画面１０１２に、ユーザ基点（現在位置）が重なる地図メッシュを含んだ所定個数の地図メッシュで構成される地図画像と、広告の表示領域である広告表示サブ画面１０１２４とを表示し、その際に、ユーザ基点を表すユーザ基点オブジェクト１０１２１と、広告基点を表す広告基点オブジェクト１０１２３とを地図画像上に表示する（Ｓ１３３）。広告表示サブ画面１０１２４には、ユーザ基点が重なる地図メッシュに対応した広告順序データに従う順序（つまりクリック単価の高い順）で並んだ複数の広告のタイトルが表示される。また、広告表示サブ画面１０１２４には、各広告について、ユーザ基点と広告基点との間の道のりの長さ（地図配信ＡＰサーバ１１１又は地図表示ＡＰ１０１１のどちらが計算しても良い）と、対応する広告オブジェクトとが表示される。図１１Ａによれば、広告タイトル“ＬＬブック”に対応したクリック単価が最も高い。もし、広告表示サブ画面１０１２４における範囲に全ての広告のタイトルを表示することができない場合には、スクロールさせることにより表示することが可能である。また、広告基点が未表示又は未配信の地図メッシュに重なる広告であっても、ユーザ基点に対応する地図メッシュに対応する広告であれば、広告表示サブ画面１０１２４に表示される。
【００６７】
地図表示ＡＰ１０１１は、縮尺の変更の指定をユーザから受けた場合（Ｓ１３４でＹＥＳ）、異なる簡易地図画像データにおける地図メッシュが必要になるため、Ｓ１３１に戻る。
【００６８】
地図表示ＡＰ１０１１は、ユーザ基点が或る地図メッシュから別の地図メッシュに移動した場合には（例えば、ユーザ端末１０１を所持するユーザの移動に伴いユーザ端末１０１の現在位置が変わった場合には）（Ｓ１３５でＹＥＳ）、別の地図メッシュに対応した広告順序データをメモリから読出し、その広告順序データに基づく順序で並んだ広告のタイトルを広告表示サブ画面１０１２４に表示する（Ｓ１３６）。その後、Ｓ１３１に戻る。すなわち、地図表示ＡＰ１０１１は、メモリに展開しておきたい地図メッシュのメッシュ番号（或いはそれに相当する緯度／軽度情報）を指定した地図メッシュ要求を、地図配信ＡＰサーバ１１１に送信する。
【００６９】
地図表示ＡＰ１０１１の終了をユーザから指定された場合に（Ｓ１３７でＹＥＳ）、地図表示ＡＰ１０１１が閉じる。
【００７０】
図１１Ａに示した状態において、ユーザによるユーザ端末１０１の操作によって、或る広告のタイトル（例えば『ＬＬブック』）又は或る広告のオブジェクト１０１２３が指定された場合、図１１Ｂに示すように、ポップアップメニュー１０１２５が表示される。
【００７１】
図１１Ｂに示したポップアップメニュー１０１２５から『広告詳細』が指定された場合、地図表示ＡＰ１０１１は、指定された広告のタイトル（又はそれに埋め込まれている広告案件ＩＤ）を指定した広告詳細要求を地図配信ＡＰサーバ１１１に送信し、地図配信ＡＰサーバ１１１が、その要求に応答して、そのタイトル（又は広告案件ＩＤ）に対応する広告詳細（及び本体ＵＲＬ）を広告案件ＤＢ１２７から取得し、広告詳細と本体ＵＲＬを埋め込んだ文字列とを地図表示ＡＰ１０１１に配信する。地図表示ＡＰ１０１１は、図１２Ａに例示するように、広告表示サブ画面１０１２４に、受信した広告詳細及び文字列を表示する。文字列が指定された場合には、本体ＵＲＬのＷＥＢページにジャンプする。
【００７２】
図１１Ｂに示したポップアップメニュー１０１２５から『案内』が指定された場合、地図表示ＡＰ１０１１は、案内要求を地図配信ＡＰサーバ１１１に送信する。地図配信ＡＰサーバ１１１は、指定された広告の広告基点とユーザ基点とを基に、ユーザ基点から広告基点へのルートを表すルート情報を地図表示ＡＰ１０１１に送信する。地図表示ＡＰ１０１１は、受信したルート情報を基に、図１２Ｂに例示するように、ユーザ基点（現在位置）から広告基点へのルート１０１２７を表示するルート案内を行う。
【００７３】
図１２Ａを参照して説明した広告詳細表示や図１２Ｂを参照して説明したルート案内が行われる都度に、地図配信ＡＰサーバ１１１は、広告案件ＤＢ１２７における、指定された広告に対応するクリック回数を更新する。クリック回数×クリック単価で算出される金額が広告料である。
【００７４】
ところで、地図表示ＡＰ１０１１は、ユーザからの要求に応答して、図１３Ａに例示するスポット検索画面１０１３１を表示する。スポット検索とは、ジャンルやワードに対応する広告の検索である。スポット検索画面１０１３１には、ジャンルやワードの入力欄と、第一の検索結果サブ画面１０１３２と、第二の検索結果サブ画面１０１３３がある。
【００７５】
地図表示ＡＰ１０１１は、ジャンル及び／又はワードを検索キーとしたスポット検索要求を地図配信ＡＰサーバ１１１に送信する。
【００７６】
地図配信ＡＰサーバ１１１は、図１４に示すように、そのスポット検索要求に応答して（Ｓ１２１でＹＥＳ）、検索キーに対応するデータ要素を職業別電話帳データ１２１１（図２Ａ参照）から検索する（Ｓ１２２）。また、地図配信ＡＰサーバ１１１は、検索キーに対応する広告案件データ１２７１を広告案件ＤＢ１２７から検索する（Ｓ１２３）。地図配信ＡＰサーバ１１１は、Ｓ１２２の検索結果を表す第一の検索結果データ（例えば、検索ヒットした一又は複数のデータ要素）と、Ｓ１２３の検索結果を表す第二の検索結果データ（例えば、ユーザ基点が重なる地図メッシュに対応する広告掲載順序のうち検索ヒットした広告案件データに対応する広告を残したもの）とを、地図表示ＡＰ１０１１に送信する（Ｓ１２４）。
【００７７】
地図表示ＡＰ１０１１は、図１３Ｂに示すように、第一の検索結果データを第一の検索結果サブ画面１０１３２に表示し、第二の検索結果データ（つまり、ユーザ基点に重なる地図メッシュに対応した複数の広告の絞込みの結果）を第二の検索結果サブ画面１０１３３に表示する。
【００７８】
以上が、本実施形態についての説明である。
【００７９】
本施形態によれば、広告に、緯度／経度で表される広告基点及び広告地域とクリック単価が対応付けられる。各地図メッシュについて、地図メッシュが関わる広告領域に対応した広告の表示の並び順をクリック単価の高い順と決定される。ユーザ端末で地図画像が表示される際には、ユーザ基点が重なる単位地域を表す地図メッシュに対応した複数の広告が、決定された順序、すなわち、クリック単価の高い順序で並べて表示される。これにより、戦略的な広告を行うことができる。例えば、商圏が狭く高い広告料を払うことが難しい場合には、広告領域を狭くし高いクリック単価を設定すれば良い。そうすれば、広告領域が狭い故に広告が表示されにくくても、広告領域（商圏）にさえユーザ基点が入りさえすれば、最もユーザの目につく位置に広告が表示される。或いは、例えば、商圏が広いが高い広告料を払うことが難しい場合には、広告領域を広くし安いクリック単価を設定すれば良い。そうすれば、広告の表示位置は、ユーザの目にとまりにくい位置になる可能性が高いが、広告が表示される機会が多く、また、ユーザ基点によっては、ユーザの目にとまりやすい表示位置に広告が表示される可能性もある。
【００８０】
また、本実施形態によれば、広告登録画面に、他社の広告登録状況（例えば、指定された広告地域、クリック単価など）が表示される。このため、どこを広告地域とするのが良いかや、クリック単価を幾らにすればユーザ端末においてどのあたりの表示位置に表示されるのかを判断し易い。特に、地図画像の各部分の表示態様をクリック単価に基づいて違えたバーチャル地価サーモ表示は、地域とクリック単価の関連を一目で把握できるため、広告主にとって便利である。
【００８１】
以上、上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【００８２】
例えば、地図メッシュの配信に先立って広告掲載順序を計算することに代えて、地図メッシュの配信の際に広告掲載順序が計算されても良い。この場合には、掲載順序ＤＢ１２５を不要にすることができる。
【００８３】
また、例えば、地図ＤＢは、カーナビゲーション装置などのようにユーザ端末が備えていてもよい。その場合には、例えば、広告サーバシステム１０５が、ユーザ端末からユーザ基点を表す位置情報を受信し、その位置情報に対応する広告順序データを送信し、ユーザ端末が、受信した広告順序データに基づく順序で並べた広告と、ユーザ基点を基に地図ＤＢから読み出した地図画像データが表す地図画像とを表示する。
【００８４】
また、例えば、広告掲載順序が対応付けられる単位は、地図メッシュに限らず、他の単位が採用されても良い。例えば、緯度／経度毎に広告掲載順序が対応付けられても良い。
【００８５】
また、例えば、広告掲載順序に代えて、他種の広告表示優先度が採用されても良い。例えば、広告の表示回数及び／又は表示される確率などが採用されても良い。
【図面の簡単な説明】
【００８６】
【図１】図１は、本発明の一実施形態に係るシステム全体の構成例を示す。
【図２】図２Ａは、職業別電話帳データを示す。図２Ｂは、簡易地図ＤＢ内の簡易地図画像データを示す。
【図３】図３Ａは、広告掲載順序ＤＢの構成例を示す。図３Ｂは、広告案件ＤＢ内の広告案件データを示す。
【図４】図４Ａは、広告登録ＡＰサーバの機能ブロックを示す。図４Ｂは、地図配信ＡＰサーバの機能ブロックを示す。
【図５】図５は、広告登録画面の一例を示す。
【図６】図６は、バーチャル地価サーモ表示の一例を示す。
【図７】図７は、掲載順序ＤＢの更新処理の流れの一例を示す。
【図８】図８は、地図メッシュに関わる複数の広告地域と広告掲載順序の関係の説明図である。
【図９】図９は、地図メッシュ要求の送信及び地図／広告表示を行うユーザ端末の処理の流れの一例を示す。
【図１０】図１０は、地図メッシュ要求に応答して地図メッシュ及び広告順序データを配信する地図配信ＡＰサーバの処理の流れの一例を示す。
【図１１】図１１Ａは、ユーザ端末のディスプレイ画面における地図／広告表示の一例を示す。図１１Ｂは、図１１Ａの地図／広告表示において或る広告が指定された場合に表示されるポップアップメニューを示す。
【図１２】図１２Ａは、図１１Ｂに示したポップアップメニューで『広告詳細』が指定された場合の表示の一例を示す。図１２Ｂは、図１１Ｂに示したポップアップメニューで『案内』が指定された場合の表示の一例を示す。
【図１３】図１３Ａは、スポット検索の開始前のスポット検索画面の一例を示す。図１３Ｂは、スポット検索の結果を表すスポット検索画面の一例を示す。
【図１４】図１４は、スポット検索要求を受けた地図配信ＡＰサーバが行う処理の流れの一例を示す。
【符号の説明】
【００８７】
１０１…ユーザ端末、１０３…広告主端末、１０５…広告サーバシステム
【図１】
2009086786.tif 000003
【図２】
2009086786.tif 000004
【図３】
2009086786.tif 000005
【図４】
2009086786.tif 000006
【図５】
2009086786.tif 000007
【図６】
2009086786.tif 000008
【図７】
2009086786.tif 000009
【図８】
2009086786.tif 000010
【図９】
2009086786.tif 000011
【図１０】
2009086786.tif 000012
【図１１】
2009086786.tif 000013
【図１２】
2009086786.tif 000014
【図１３】
2009086786.tif 000015
【図１４】
2009086786.tif 000016